(57)【要約】【課題】壁面に固定されたブラケットに着脱可能な浴室カウンターに作用した鉛直方向下向きの荷重を、ブラケットが支持して壁部に伝達することができる浴室カウンターの取付構造を提供する。【解決手段】浴室の第１壁面（壁面）１２に固定されたブラケット２と、ブラケット２に着脱可能な浴室カウンター３と、を有する浴室カウンターの取付構造１において、ブラケット２は、第１壁面１２に固定される壁面固定部と、浴室カウンター３を係止可能な第２浴室カウンター係止部２６２と、を有し、第２浴室カウンター係止部２６２は、浴室カウンター３を下側から支持可能に構成されている。【選択図】図７
2018051120.tif 000002
【特許請求の範囲】
【請求項１】
浴室の壁面に固定されたブラケットと、
ブラケットに着脱可能な浴室カウンターと、を有する浴室カウンターの取付構造において、
前記ブラケットは、前記壁面に固定される壁面固定部と、前記浴室カウンターを係止可能な浴室カウンター係止部と、を有し、
前記浴室カウンター係止部は、前記浴室カウンターを下側から支持可能に構成されていることを特徴とする浴室カウンターの取付構造。
【請求項２】
前記壁面固定部は、前記浴室カウンター係止部の上下それぞれに配置されている請求項１に記載の浴室カウンターの取付構造。
【発明の詳細な説明】
【技術分野】
【０００１】
本発明は、浴室カウンターの取付構造に関する。
【背景技術】
【０００２】
特許文献１には、浴室の壁面に固定されたベース部材に対して着脱可能な壁面用機能部材が開示されている。特許文献１には、ベース部材として壁面に固定されたカウンター状の部材が開示され、壁面用機能部材として洗面器を置くための別のカウンター状の部材が開示されている。
壁面用機能部材は、ベース部材および壁面用機能部材の一方に形成された凹状嵌合部と他方に形成された凸状嵌合部とが嵌合することでベース部材に取り付けられるように構成されている。
【先行技術文献】
【特許文献】
【０００３】
【特許文献１】特開２０１１−１８３１１７号公報
【発明の概要】
【発明が解決しようとする課題】
【０００４】
浴室カウンターは、湯水を溜めた洗面器が置かれたり、入浴者に立ち上がる際に手を掛けられたりすると、鉛直方向下向きの荷重が作用することになる。このため、浴室カウンターが壁面に固定されたベース部材に着脱可能である場合、ベース部材が浴室カウンターに作用する鉛直方向下向きの荷重を支持して壁部に伝達させる必要がある。
ベース部材が浴室カウンターに作用する鉛直方向下向きの荷重を支持して壁部に伝達できないと、浴室カウンターがベース部材に対して変位したり、浴室カウンターとベース部材との連結部分が損傷したり、浴室カウンターがベース部材から外れたりする虞がある。
【０００５】
そこで、本発明は、壁面に固定されたブラケットに着脱可能な浴室カウンターに作用した鉛直方向下向きの荷重を、ブラケットが支持して壁部に伝達することができる浴室カウンターの取付構造を提供することを目的とする。
【課題を解決するための手段】
【０００６】
上記目的を達成するため、本発明に係る浴室カウンターの取付構造は、浴室の壁面に固定されたブラケットと、ブラケットに着脱可能な浴室カウンターと、を有する浴室カウンターの取付構造において、前記ブラケットは、前記壁面に固定される壁面固定部と、前記浴室カウンターを係止可能な浴室カウンター係止部と、を有し、前記浴室カウンター係止部は、前記浴室カウンターを下側から支持可能に構成されていることを特徴とする。
【０００７】
本発明では、浴室カウンター係止部は、浴室カウンターを下側から支持可能に構成されていることにより、浴室カウンター係止部が浴室カウンターに作用する鉛直方向下向きの荷重を確実に支持し、ブラケットを介して壁部に伝達させることができる。
【０００８】
また、本発明に係る浴室カウンターの取付構造では、前記壁面固定部は、前記浴室カウンター係止部の上下それぞれに配置されていてもよい。
浴室カウンター係止部の上下が壁部に固定されるため、浴室カウンターに作用する鉛直方向下向きの荷重によってブラケットが壁面に対して下方に変位することを抑えることができる。
【発明の効果】
【０００９】
本発明によれば、浴室カウンター係止部が浴室カウンターに作用する鉛直方向下向きの荷重を確実に支持し、ブラケットを介して壁部に伝達させることができ、浴室カウンターに作用した鉛直方向下向きの荷重によって、浴室カウンターがブラケットに対して変位したり、浴室カウンターとブラケットとの連結部分が損傷したり、浴室カウンターがブラケットから外れたりすることを防止できる。
【図面の簡単な説明】
【００１０】
【図１】本発明の実施形態による浴室の一例を示す斜視図である。
【図２】浴室カウンターの取付構造の一例を示す斜視図である。
【図３】浴室カウンターの取付構造の一例を示す平面図である。
【図４】浴室カウンターの取付構造を奥行き方向手前側から見た図である。
【図５】浴室カウンターの取付構造を奥行き方向奥側から見た図である。
【図６】浴室カウンターの壁面側から見た斜視図である。
【図７】図３のＡ−Ａ線断面図である。
【図８】ブラケットの分解斜視図である。
【図９】ブラケットの斜視図である。
【図１０】ブラケットを幅方向の他方側から見た図である。
【図１１】ブラケットを奥行き方向の手前側から見た図である。
【図１２】ステー部材およびロックスペーサを示す斜視図である。
【図１３】ステー部材に載置されたロックスペーサを示す斜視図である。
【図１４】浴室カウンターの取り付け手順を説明する図である。
【図１５】図１４に続く浴室カウンターの取り付け手順を説明する図である。
【図１６】図１５に続く浴室カウンターの取り付け手順を説明する図である。
【図１７】図１６に続く浴室カウンターの取り付け手順を説明する図である。
【発明を実施するための形態】
【００１１】
以下、本発明の実施形態による浴室カウンターの取付構造について、図１乃至図１７に基づいて説明する。
図１に示すように、本実施形態による浴室カウンターの取付構造１は、浴室１１の第１壁面１２に設けられた浴室カウンター３の取付構造である。本実施形態では、浴室１１には、シャワーや水栓が設けられた第１壁面１２と、第１壁面１２に直交する第２壁面１３と、が設けられている。また、浴室１１に設けられた浴槽のエプロン１４の前面は、第１壁面１２と直交する面上に配置され、第２壁面１３と間隔をあけて対向している。
【００１２】
ここで、第１壁面１２に沿った水平方向を幅方向、幅方向に直交する水平方向を奥行き方向とする。奥行き方向のうち第１壁面１２に近接する方向を奥行き方向の奥側とし、第１壁面１２と離間する方向を奥行き方向の手前側とする。幅方向のうち、第２壁面１３に対して浴槽のエプロン１４が配置されている側を幅方向の一方側とし、浴槽のエプロン１４に対して第２壁面１３が配置されている側を幅方向の他方側とする。
また、以下の各部材の説明では、各部材が第１壁面１２または第２壁面１３に取り付けられた姿勢であるものとする。
【００１３】
図２乃至図５に示すように、浴室カウンターの取付構造１は、第１壁面１２に幅方向に互いに間隔をあけて固定された３つのブラケット２と、３つのブラケット２に着脱可能な浴室カウンター３と、を有している。
浴室カウンター３は、３つのブラケット２に固定されると上面に洗面器や石けんなどの物品を載置可能に構成されている。
浴室カウンター３は、長尺に形成され、長辺が第１壁面１２（図３および図４参照）に沿い、短辺が第２壁面１３およびエプロン１４の前面に沿って配置されている。本実施形態による浴室カウンターの取付構造１は、浴室カウンター３と第２壁面との隙間に着脱可能なロックスペーサ４と、第２壁面１３（図３および図４参照）に固定されロックスペーサ４を支持する２つのステー部材５と、をさらに有している。
【００１４】
図６および図７に示すように、浴室カウンター３は、上側に配置される天板３１と、下側に配置される底板３２と、を有し、天板３１と底板３２とが接合されて構成されている。天板３１および底板３２はそれぞれ樹脂を材料として形成されている。
天板３１の上面は、緩い水勾配を有する略水平面に形成され、物品を載置可能な載置面を構成している。浴室カウンター３は、奥行き方向の奥側の縁部が幅方向に直線状に延び、幅方向の両側の縁部がそれぞれ奥行き方向に直線状に延びている。浴室カウンター３の奥行き方向の手前側の縁部は、幅方向の一方側が奥行き方向に凹み幅方向の他方側が奥行き方向の手前側に突出するように緩いＳ字形状に延びている。
【００１５】
天板３１は、浴室カウンター３の載置面となる上板部３１１と、上板部３１１の奥行き方向の手前側の縁部から下側に延びる前板部３１２と、上板部３１１幅方向の一方側の縁部から下側に延びる第１側板部３１３と、上板部３１１の幅方向の他方側の縁部から下側に延びる第２側板部３１４と、上板部３１１の奥行き方向の奥側の縁部から延びる後板部３１５と、上板部３１１の奥行き方向の奥側の縁部に連続して設けられた第１被係止部３３と、を有している。
【００１６】
第１側板部３１３および第２側板部３１４は、奥行き方向の手前側の縁部が前板部３１２の幅方向の縁部と連続し、奥行き方向の奥側の縁部が後板部３１５の幅方向の縁部と連続している。第１側板部３１３、第２側板部３１４、および後板部３１５の下縁部は、略同じ高さに配置されている。
上板部３１１の下側には、上板部３１１の下面から下側に突出する板状の複数のリブや、これらのリブの間やリブの下側に連続して設けられた補強板などが適宜設けられている。これらのリブや補強板などによって天板３１が所定の強度に維持されている。
【００１７】
図７に示すように、第１被係止部３３は、上板部３１１の奥行き方向の奥側の全縁部から奥行き方向の奥側に延びる第１板部３３１と、第１板部３３１の奥行き方向の奥側の全縁部から下側に延びる第２板部３３２と、を有している。
第１板部３３１の上面は、上板部３１１の上面よりもやや上側に配置されている。
第２板部３３２は、後板部３１５の奥行き方向の奥側に後板部３１５と間隔をあけて略平行に設けられている。
【００１８】
底板３２は、天板３１の上板部３１１の下側に配置される下板部３２１と、下板部３２１の奥行き方向の手前側の縁部に連続して設けられる手掛け部３２２と、下板部３２１の幅方向の一方側の縁部から上側に延びる第１側板部３２３（図６参照）と、下板部３２１の幅方向の他方側の縁部から上側に延びる第２側板部３２４（図６参照）と、下板部３２１の奥行き方向の奥側の縁部から上側に延びる後板部３２５と、を有している。
【００１９】
下板部３２１は、奥行き方向の手前側に配置され、奥行き方向の奥側に向かって漸次下側に向かうように傾斜する傾斜部３２１ａと、傾斜板部の奥行き方向の奥側の縁部から奥行き方向の奥側に略水平に延びる水平部３２１ｂと、を有している。
傾斜部３２１ａは、奥行き方向の奥側が手前側よりも傾斜角度が大きく設定され、上側に凸となるように湾曲している。
後板部３２５は、水平部３２１ｂの奥行き方向の奥側の縁部から上側に延びている。後板部３２５には、高さ方向の中間部に幅方向に間隔をあけて奥行き方向の奥側に突出する規制突出部３２６が３つ設けられている。
下板部３２１のうちの傾斜部３２１ａの下端部分（傾斜部における水平部との接続部近傍の部分）、水平部３２１ｂ、および後板部３２５の下端部分（後板部３２５における水平部との接続部近傍の部分）を合せた部分を第２被係止部３４とする。
【００２０】
手掛け部３２２は、断面形状が上側に開口する略Ｃ字形状に形成されている。手掛け部３２２は、下板部３２１の奥行き方向の手前側の縁部から奥行き方向の手前側に向かって漸次下側にのびる第１湾曲板部３２２ａと、第１湾曲板部３２２ａの下縁部から奥行き方向の手前側に略水平に延びる水平板部３２２ｂと、水平板部３２２ｂの奥行き方向の手前側の縁部から奥行き方向の手前側に向かって漸次上側に延びる第２湾曲板部３２２ｃと、を有している。
第１湾曲板部３２２ａは、上側に凸となるように緩く湾曲している。第２湾曲板部３２２ｃは、奥行き方向の手前側に凸となるように緩く湾曲している。第２湾曲板部の奥行き方向の手前側の縁部は、下板部３２１の奥行き方向の手前側の縁部よりも上側に配置されている。
【００２１】
第１側板部３２３および第２側板部３２４は、奥行き方向の手前側の縁部が手掛け部３２２の幅方向の縁部と連続し、奥行き方向の奥側の縁部が後板部３２５の幅方向の縁部と連続している。手掛け部３２２、後板部３２５、第１側板部３２３および第２側板部３２４の上縁部は、それぞれ略同じ高さに配置されている。
本実施形態では、下板部３２１は、天板３１の上板部３１１よりも幅方向の寸法が小さく形成されている。そして、第１側板部３２３および第２側板部３２４は、下部側が下板部３２１の幅方向の両縁部から上側に延びていて、上部側が幅方向の外側に向かって延びてから上側に向かって延びている。このため、浴室カウンター３の幅方向の両端部近傍の下面３ａ（図５参照）は、底板３２の下端部よりも上側に配置されている。この浴室カウンター３の幅方向の両端部近傍の下面３ａは、ステー部材５の載置部５２（図１０参照）に載置可能に構成されている。
【００２２】
下板部３２１の上側には、下板部３２１の上面から上側に突出する板状の複数のリブや、これらのリブの間やリブの上側に連続して設けられた補強板などが適宜設けられている。これらのリブや補強板などによって底板３２が所定の強度に維持されている。
【００２３】
このような天板３１と底板３２とは、天板３１の前板部３１２の下端部分の奥行き方向の奥側に底板３２の手掛け部３２２の上端部分が配置され、天板３１の後板部３１５の下端部分の奥行き方向の手前側に底板３２の後板部３２５の上端部分が配置され、天板３１の第１側板部３１３の下端部分の幅方向の他方側に底板３２の第１側板部３２３の上端部分が配置され、天板３１の第２側板部３１４の下端部分の幅方向の一方側に底板３２の第２側板部３２４の上端部分が配置された状態となるように嵌合によって連結されている。
天板３１および底板３２には、互いに連結される際に互いに係合する爪部などが適宜設けられている。
【００２４】
３つのブラケット２は、配置される位置以外は略同じ形態に形成されている。
図８および図９に示すように、ブラケット２は、上側に配置される上側部材２１と、上側部材２１に連続して下側に配置される下側部材２２とを有している。上側部材２１と下側部材２２とは連結されている。
上側部材２１は、樹脂で形成された上側樹脂部材２３と、金属で形成された上側金属部材２４と、を有している。
【００２５】
上側樹脂部材２３は、第１壁面１２に沿って配置され第１壁面１２に固定される第１壁面固定部２３１と、第１壁面固定部２３１の上側に連続して形成され浴室カウンター３の第１被係止部３３を係止可能な第１浴室カウンター係止部２３２と、を有している。
第１壁面固定部２３１は、第１壁面１２に沿って第１壁面１２と平行に配置される平板状の平板部２３１ａと、平板部２３１ａの幅方向の両縁部からそれぞれ奥行き方向の手前側に突出する一対の側板部２３１ｂと、を有している。平板部２３１ａは、板面が略長方形状に形成され、ネジなどの固定具が挿通可能な固定具用孔部２３１ｃが複数形成されている。
【００２６】
第１浴室カウンター係止部２３２は、第１壁面固定部２３１よりも奥行き方向の寸法が大きく設定され、奥行き方向の手前側の端面が第１壁面固定部２３１よりも奥行き方向の手前側に配置されている。
第１浴室カウンター係止部２３２には、上部側に幅方向全体にわたって延在し、上側に開口する第１溝部２５と、第１溝部２５よりも奥行き方向の手前側に配置され下側に開口する係合凹部２３２ａと、が形成されている。
【００２７】
本実施形態では、図１０に示すように、第１溝部２５は、上側を向く底面２５１と、底面２５１の奥行き方向の奥側の縁部から上側に延びて奥行き方向の手前側を向く第１側面２５２と、底面２５１の奥行き方向の手前側の縁部から上側に延びて奥行き方向の奥側を向く第２側面２５３とを有している。
【００２８】
底面２５１は、幅方向中央部が幅方向の両側よりも高い山型に形成され、幅方向の中央部から両端部に向かって漸次下側に向かうように緩く傾斜している。
第１側面２５２は、幅方向中央部が幅方向の両側よりも奥行き方向の手前側に突出する山型に形成され、幅方向の中央部から両端部に向かって漸次奥行き方向の奥側に向かうように緩く傾斜している。また、第１側面２５２の上端部近傍には、下側から上側に向かって漸次奥行き方向の奥側に向かうテーパ面２５２ａ（図９参照）が形成されている。
第２側面２５３は、幅方向中央部が幅方向の両側よりも奥行き方向の奥側に突出する山型に形成され、幅方向の中央部から両端部に向かって漸次奥行き方向の手前側に向かうように緩く傾斜している。また、第２側面２５３の上端部近傍には、下側から上側に向かって漸次奥行き方向の手前側に向かうテーパ面２５３ａ（図９参照）が形成されている。
【００２９】
図８および図９に示すように、上側金属部材２４は、第１壁面固定部２３１の奥行き方向の手前側の面に沿って配置され第１壁面固定部２３１とともに第１壁面１２に固定される平板状の第２壁面固定部２４１と、第２壁面固定部２４１の上側に連続して形成され第１浴室カウンター係止部２３２の係合凹部に挿入される係合板部２４２と、を有している。
第２壁面固定部２４１には、ネジなどの固定具が挿通可能な固定具用孔部２４１ａが複数形成されている。
係合板部２４２は、断面が略Ｌ字形の板状に形成され、第１壁面固定部２３１の上縁部から奥行き方向の手前側に突出する第１板部２４２ａと、第１板部の奥行き方向の手前側の縁部から上側に突出する第２板部２４２ｂと、を有している。図７に示すように、係合板部２４２のうちの第２板部２４２ｂが係合凹部２３２ａに挿入可能に構成されている。
【００３０】
下側部材２２は、樹脂で形成された下側樹脂部材２６と、金属で形成された下側金属部材２７と、下側樹脂部材２６および下側金属部材２７を第１壁面１２に固定する固定具を覆う樹脂製のカバー部材２８と、を有している。
下側金属部材２７は、第１壁面１２に固定された上側部材２１の直下に第１壁面１２に沿って配置される。下側樹脂部材２６は、重なって第１壁面１２に固定された上側部材２１の第１壁面固定部２３１および第２壁面固定部２４１の奥行き方向の手前側、および下側金属部材２７の奥行き方向の手前側に配置される。カバー部材２８は、下側樹脂部材２６の奥行き方向の手前側に配置される。
【００３１】
下側樹脂部材２６は、第１壁面１２に固定される第３壁面固定部２６１と、第３壁面固定部２６１の下側に連続して形成され浴室カウンター３の第２被係止部３４を係止可能な第２浴室カウンター係止部２６２と、第２浴室カウンター係止部２６２の下側に連続して形成され第１壁面１２に固定される第４壁面固定部２６３と、第３壁面固定部２６１の上側に連続して形成されブラケット２に係止された浴室カウンター３の移動を規制する移動規制部６と、を有している。
【００３２】
第３壁面固定部２６１は、第１壁面１２に沿って第１壁面１２と平行に配置される平板状の平板部２６１ａと、平板部２６１ａの幅方向の両縁部からそれぞれ奥行き方向の奥側に突出する側板部２６１ｂと、平板部２６１ａの上縁部から奥行き方向の手前側に突出する上板部２６１ｃと、を有している。平板部２６１ａは、板面が略長方形状に形成され、ネジなどの固定具が挿通可能な固定具用孔部２６１ｄが複数形成されている。
第３壁面固定部２６１には、カバー部材２８が取り付けられるように構成されている。
【００３３】
第２浴室カウンター係止部２６２は、第３壁面固定部２６１および移動規制部６よりも奥行き方向の寸法が大きく、奥行き方向手前側の端面が第３壁面固定部２６１および移動規制部６よりも奥行き方向の手前側に配置されている。
第２浴室カウンター係止部２６２は、第３壁面固定部２６１の下縁部から奥行き方向の手前側に突出する上板部２６２ａと、上板部２６２ａの幅方向の両縁部から下側に延びる側板部２６２ｂと、を有している。側板部２６２ｂは、第３壁面固定部２６１の側板部２６１ｂと連続している。側板部２６２ｂは、第４壁面固定部２６３の幅方向の両縁部を覆っている。
上板部２６２ａは、奥行き方向の手前側に幅方向全体にわたって上側に開口する略Ｃ字形状に形成されていて、上側に開口する第２溝部２９が形成されている。
【００３４】
本実施形態では、図１０に示すように、第２溝部２９は、上側を向く底面２９１と、底面２９１の奥行き方向の奥側の縁部から上側に延びて奥行き方向の手前側を向く第１側面２９２と、底面２９１の奥行き方向の手前側の縁部から上側に延びて奥行き方向の奥側を向く第２側面２９３とを有している。
底面２９１は、幅方向中央部が幅方向の両側よりも高い山型に形成され、幅方向の中央部から両端部に向かって漸次下側に向かうように緩く傾斜している。
第１側面２９２は、幅方向中央部が幅方向の両側よりも奥行き方向の手前側に突出する山型に形成され、幅方向の中央部から両端部に向かって漸次奥行き方向の奥側に向かうように緩く傾斜している。また、第１側面２９２の上端部近傍には、下側から上側に向かって漸次奥行き方向の奥側に向かうテーパ面２９２ａ（図９参照）が形成されている。
第２側面２９３は、幅方向中央部が幅方向の両側よりも奥行き方向の奥側に突出する山型に形成され、幅方向の中央部から両端部に向かって漸次奥行き方向の手前側に向かうように緩く傾斜している。また、第２側面２９３の上端部近傍には、下側から上側に向かって漸次奥行き方向の奥側に向かうテーパ面２９３ａ（図９参照）が形成されている。
【００３５】
図７に示すように、第４壁面固定部２６３は、第１壁面１２に沿って第１壁面１２と平行に配置される板状の固定部２６３ａと、固定部２６３ａの上縁部から奥行き方向の手前側に延びて奥行き方向の手前側が上側に折り曲がり第２浴室カウンター係止部２６２に接続される接続部２６３ｂと、を有している。
固定部２６３ａは、板面が略長方形状に形成され、ネジなどの固定具が挿通可能な固定具用孔部（不図示）が形成されている。下側樹脂部材２６には、第２浴室カウンター係止部２６２の下端面と接続部２６３ｂに囲まれた凹部２６３ｃが形成されている。
【００３６】
移動規制部６は、第３壁面固定部２６１の上板部２６２ａの上縁部に接続された板面が奥行き方向を向く前板部６１と、前板部６１の幅方向の両縁部から奥行き方向の奥側に延びる側板部６２と、を有している。側板部６２は、第３壁面固定部２６１の側板部２６１ｂと連続して形成されている。
前板部６１は、高さの中間部に幅方向全体にわたって段部６３が形成され、下部側よりも上部側が奥行き方向の手前側に配置されている。段部６３は、奥行き方向から見て幅方向の中間部分が幅方向の両側部分よりも下側となるハット状に形成されている。前板部６１のうちの段部６３よりも上部側を前板部上部６４とし、段部６３よりも下部側を前板部下部６５とし、前板部上部６４と前板部下部６５とを接続する部分を段板部６６とする。
【００３７】
図１１に示すように、段板部６６は、幅方向の中間部に配置され板面が略水平面となる下板部６６１と、下板部６６１の幅方向の一方側から上側に延びる第１側板部６６２と、下板部６６１の幅方向の他方側から上側に延びる第２側板部６６３と、第１側板部６６２の上縁部から幅方向の一方側に延びる第１上板部６６４と、第２側板部６６３の上縁部から幅方向の他方側に延びる第２上板部６６５と、を有している。
本実施形態では、段板部６６の第２側板部６６３と第２上板部６６５とがなす角部の内側に規制突出部３２６が配置されるように構成されている。なお、浴室が幅方向に対称に形成されている場合は、第１側板部６６２と第１上板部６６４とがなす角部の内側に規制突出部３２６が配置される。
【００３８】
本実施形態では、第１上板部６６４の下面の幅方向一方側の端部近傍には、幅方向の一方側に向かって漸次上側に向かう傾斜面６６４ａが形成されている。第２上板部６６５の下面の幅方向他方側の端部近傍には、幅方向の他方側に向かって漸次上側に向かう傾斜面６６５ａが形成されている。
移動規制部６には、奥行き方向の奥側に開口し、上側金属部材２４の上側突出板部２７２が挿入される凹部６７（図７参照）が形成されている。
移動規制部６には、前板部６１から奥行き方向の奥側に突出する板状の複数のリブや、これらのリブ間やリブの奥行き方向他方側の端部に連続して設けられた板状の補強板などが設けられている。これらのリブや補強板によって下側樹脂部材２６が所定の強度に維持されている。
【００３９】
下側金属部材２７は、第１壁面１２に沿って配置され第３壁面固定部２６１とともに第１壁面１２に固定される平板状の第５壁面固定部２７１と、第５壁面固定部２７１の上縁部から奥行き方向の手前側に延びる上側突出板部２７２と、第５壁面固定部２７１の下縁部から奥行き方向の手前側に延びる下側突出板部２７３と、を有している。
第５壁面固定部２７１には、ネジなどの固定具が挿通可能な固定具用孔部２７１ａが複数形成されている。
【００４０】
下側金属部材２７は、第５壁面固定部２７１が下側樹脂部材２６の移動規制部６、第３壁面固定部２６１、および第２浴室カウンター係止部２６２の奥行き方向の奥側に配置された状態で第１壁面１２に固定される。このとき、図７に示すように、上側突出板部２７２が移動規制部６の凹部６７に挿入されて、下側突出板部２７３が第２浴室カウンター係止部２６２と第４壁面固定部２６３との間の凹部２６３ｃに挿入される。
【００４１】
カバー部材２８は、上側樹脂部材２３の第３壁面固定部２６１の平板部２６１ａの奥行き方向の手前側に配置される。カバー部材２８は、奥行き方向から見て略長方形状に形成されている。カバー部材および第３壁面固定部２６１には、互いに係合可能な爪部や爪部を係止する孔部などが形成されている。
【００４２】
このようなブラケット２は、上側金属部材２４が上側樹脂部材２３の奥行き方向の手前側に配置され、第２壁面固定部２４１が第１壁面固定部２３１の一対の側板部２３１ｂの間に配置され第１壁面固定部２３１の平板部２３１ａと重なり、係合板部２４２が係合凹部２３２ａに挿入された状態で、第１壁面固定部２３１および第２壁面固定部２４１の固定具用孔部２３１ｃ，２４１ａに挿入された固定具（不図示）が第１壁面１２に係合することで、上側部材２１が第１壁面１２に固定される。
【００４３】
また、上側樹脂部材２３が上側金属部材２４および下側金属部材２７の奥行き方向の手前側に配置され、第５壁面固定部２７１の平板部が第３壁面固定部２６１の平板部２６１ａと重なり、上側突出板部２７２が移動規制部６の凹部６７に挿入され、下側突出板部２７３が第２浴室カウンター係止部２６２と第４壁面固定部２６３との間の凹部に挿入された状態で、第３壁面固定部２６１および第５壁面固定部２７１の固定具用孔部２７１ａに挿入された固定具が第１壁面１２に係合することで、第１壁面１２に固定される。また、下側部材２２は、第４壁面固定部２６３の固定具用孔部２６３ｄに挿入された固定具が第１壁面１２に係合することで、下側部材２２が第１壁面１２に固定される。
【００４４】
図１２および図１３に示すように２つのステー部材５は、配置される位置以外は略同じ形態に形成されている。ステー部材５は、第２壁面１３に固定される固定部５１と、固定部５１から幅方向の一方側に突出し浴室カウンター３（図２参照）およびロックスペーサ４と、が載置される載置部５２と、を有している。
２つのステー部材５は、第２壁面１３に同じ高さにおいて奥行き方向に間隔をあけて固定されている。固定部５１には、ステー部材５を固定するためのネジなどの固定具が挿通される孔部（不図示）が形成されている。また、固定部５１は、下部側の奥行き方向の両端部近傍に第２壁面１３と離間する切欠き部５３が形成されている。切欠き部５３には、ロックスペーサ４の折り返し部４３が挿入可能に構成されている。
【００４５】
載置部５２の上面には、幅方向の中央部に段部５４が形成され、幅方向の一方側（先端側）が幅方向の他方側（基端側）よりも上側に配置されている。載置部５２の上面のうち、段部５４よりも幅方向の一方側を第１載置面５５とし、段部５４よりも幅方向の他方側を第２載置面５６とする。第１載置面５５および第２載置面５６は、それぞれ略水平面に形成されている。
ステー部材５には、段部５４と第２載置面５６および固定部５１に囲まれた上方に開口する溝部５７が奥行き方向全体にわたって形成されている。
【００４６】
ロックスペーサ４は、奥行き方向に延びる長尺部４１と、長尺部４１の奥行き方向の手前側の端部近傍から下側に突出する突出部４２と、を有している。ロックスペーサ４は、幅方向から見ると略Ｌ字形状に形成されている。
長尺部４１は、浴室カウンター３の奥行き方向と略同じ長さで、奥行き方向の奥側が手前側よりも高さ寸法が大きく形成されている。長尺部４１は、幅方向の寸法がステー部材５の第２載置面５６の幅寸法と略同じ寸法に形成され、溝部５７に挿し込み可能に構成されている。
【００４７】
図２に示すように、突出部４２は、下端部近傍に奥行き方向の奥側に突出する折り返し部４３が形成されている。折り返し部４３は、ステー部材５の切欠き部５３に奥行き方向の手前側から嵌合可能に構成されている。
折り返し部４３が切欠き部５３に嵌合することでロックスペーサ４がステー部材５に固定される。なお、ステー部材５に固定されたロックスペーサ４は、所定以上の力で奥行き方向の手前側に引き出すことでステー部材５から外れるように構成されている。
【００４８】
次に、浴室カウンター３のブラケット２への着脱方法について説明する。
まず、浴室カウンター３をブラケット２に取り付ける方法について説明する。なお、予め３つのブラケット２は第１壁面１２に固定され、２つのステー部材５は第２壁面１３に固定されている。
まず、浴室カウンター３の奥行き方向の手前側の縁部近傍を把持し、浴室カウンター３を３つのブラケット２およびステー部材５の上方に配置する。このとき、浴室カウンター３の手掛け部３２２を下側から把持すると浴室カウンター３を把持しやすい。
浴室カウンター３を下降させて、浴室カウンターの第１被係止部３３をブラケット２の第１溝部２５に挿入させ、浴室カウンター３の第２被係止部３４をブラケット２の第２溝部２９に挿入させる。
これにより、第１被係止部３３が第１浴室カウンター係止部２３２に下側から支持され、第２被係止部３４が第２浴室カウンター係止部２６２下側から支持される。
【００４９】
浴室カウンター３をブラケット２に向かって下降させる際には、浴室カウンター３を第２壁面１３に寄せた状態で向かって下降させる。これにより、図１４に示すように、浴室カウンター３の幅方向他方側の縁部がステー部材５の固定部５１の幅方向一方側の面と当接し、浴室カウンター３の幅方向の両端部近傍の下面３ａがステー部材５の第１載置面５５および第２載置面５６の上部に配置される。ステー部材５に載置された浴室カウンター３の幅方向の両端部近傍の下面３ａは、第１載置面５５とは当接し、第２載置面５６とは間隔をあけている。
上記のように浴室カウンター３が配置されると、浴室カウンター３の幅方向一方側の縁部と浴槽のエプロン１４の前面との間には隙間が形成された状態となる。また、図１５に示すように、浴室カウンター３の後板部６２５から奥行き方向の奥側に突出する規制突出部３２６が、ブラケット２と奥行き方向に重ならず、ブラケット２の幅方向の他方側に配置された状態となる。
【００５０】
続いて、浴室カウンター３を幅方向の一方側にスライドさせる。浴室カウンター３をスライドさせる際にも、浴室カウンター３はブラケット２の第１浴室カウンター係止部２３２および第２浴室カウンター係止部２６２に係止されたままとする。
図１６に示すように、浴室カウンター３が幅方向の一方側にスライドすると、浴室カウンター３の規制突出部３２６が移動規制部６の段部６３の第２上板部６５５の下側に入り込み、規制突出部３２６の幅方向一方側の端部が段部６３の第２側板部６５３（図１１参照）と当接する。これにより、浴室カウンター３の幅方向一方側への移動が規制される。
浴室カウンター３の規制突出部３２６が移動規制部の段部の第２側板部と当接すると、浴室カウンター３の幅方向一方側の縁部が浴槽のエプロン１４の前面とわずかな隙間をあけて離間し、エプロン１４の前面と衝突しないように構成されている。
このように浴室カウンター３が配置されると、図１７に示すように、浴室カウンター３の幅方向他方側の縁部近傍は、ステー部材５の第１載置面５５の上に配置され、ステー部材５の固定部と幅方向に離間する。ステー部材５の第２載置面５６（溝部５７）の上方が開口する。
【００５１】
本実施形態では、段部６３の第２上板部６３５の幅方向他方側の縁部には、幅方向の一方側に向かって漸次下側に向かう傾斜面６６５ａが形成されているため、幅方向一方側にスライドしてきた規制突出部３２６が傾斜面に当接して、第２上板部６３５の下側に案内されるように構成されている。
【００５２】
また、本実施形態では、第１溝部２５および第２溝部２９それぞれの第１側面２５２，２９２、および第２側面２５３，２９３の上端部近傍にはテーパ面２５２ａ，２９２ａ，２５３ａ，２９３ａが形成されている。これにより、上方から下降してきた浴室カウンター３の第１被係止部３３がテーパ面２５２ａ，２５３ａに案内されてスムーズに第１溝部２５に入り込むことができるとともに、上方から下降してきた浴室カウンター３の第２被係止部３４がテーパ面２９２ａ，２５３ａに案内されてスムーズに第２溝部２９に入り込むことができる。
【００５３】
また、本実施形態では、第１溝部２５および第２溝部２９それぞれの底面２５１，２９１、第１側面２５２，２９２、および第２側面２５３，２９３が、幅方向の中央部が内側に突出し、幅方向の両端部が外側に向かって傾斜している。これにより、浴室カウンター３は、第１溝部２５および第２溝部２９の内面の幅方向の中央部と当接し、中央部以外とはほとんど当接しない。これにより、浴室カウンター３と第１溝部２５および第２溝部２９の内面との摩擦を少なくすることができ、第１溝部２５および第２溝部２９に挿入された浴室カウンター３をスムーズにスライドさせることができる。
【００５４】
続いて、浴室カウンター３の幅方向他方側の縁部とステー部材５の固定部５１との間にロックスペーサ４を挿入する。ロックスペーサ４をステー部材５の溝部５７に配置し、ロックスペーサ４の折り返し部４３をステー部材５の切欠き部５３に奥行き方向前側から挿入する。
ロックスペーサ４の折り返し部４３がステー部材５の切欠き部５３に挿入されることにより、ロックスペーサ４がステー部材５に固定された状態となる。また、浴室カウンター３は、規制突出部３２６が移動規制部６の段部６３の第２上板部６６５の下側に配置されているため、下側からの衝撃などにより上方に移動しようとすると、規制突出部３２６が第２上板部６６５と当接して上側への移動が拘束される。
このようして、浴室カウンター３が第１壁面１２に固定される。
【００５５】
次に、浴室カウンター３をブラケット２から取り外す方法について説明する。
まず、ロックスペーサ４をステー部材５から取り外し、浴室カウンター３を幅方向の他方側に移動可能な状態とする。
浴室カウンター３をステー部材５の固定部５１と当接するまで幅方向の一方側に移動させる。これにより、浴室カウンター３の規制突出部３２６がブラケット２の規制突出部３２６から外れた状態となる。
浴室カウンター３を上方に移動させて、ブラケット２の第１溝部２５から浴室カウンター３の第１被係止部３３を外し、ブラケット２の第２溝部２９から浴室カウンター３の第２被係止部３４を外して、浴室カウンター３をブラケット２から離間させる。
このようにして、浴室カウンター３がブラケット２から取り外される。
【００５６】
次に、上述した実施形態による浴室カウンターの取付構造１の作用・効果について図面を用いて説明する。
本実施形態による浴室カウンターの取付構造１によれば、第１浴室カウンター係止部２３２および第２浴室カウンター係止部２６２は、それぞれ浴室カウンター３を下側から支持可能に構成されていることにより、第２浴室カウンター係止部２６２が浴室カウンター３に作用する鉛直方向下向きの荷重を確実に支持し、ブラケット２を介して第１壁面１２に伝達させることができる。
また、第２浴室カウンター係止部２６２は、浴室カウンター３の下側に配置されていることにより、浴室カウンター３をブラケット２に取り付けた際に、浴室カウンター３の第２被係止部３４が第２浴室カウンター係止部２６２に係止されているかどうかを視認しやすい。
【００５７】
また、ブラケット２には、第２浴室カウンター係止部２６２の上下にそれぞれ壁面固定部が設けられていることにより、浴室カウンター３に作用する鉛直方向下向きの荷重によってブラケット２が第１壁面１２に対して下方に変位することを抑えることができる。
【００５８】
また、本実施形態では、ステー部材５がブラケット２の第２浴室カウンター係止部２６２よりも上側に配置されている。このため、浴室カウンター３は、２つのステー部材５のうちの奥行き方向の手前側に配置されたステー部材５によって奥行き方向の手前側（先端側）が第２浴室カウンター係止部２６２よりも上方で支持されていることになる。このように浴室カウンター３の奥行き方向の手前側（先端側）が奥行き方向の奥側（基端側）よりも上側において支持されていることにより、浴室カウンター３に作用する鉛直方向下向きの荷重によるモーメントに対しても強固な構造とすることができる。
【００５９】
また、浴室カウンター３をブラケット２を介して第１壁面１２に容易に着脱できるため、浴室１１の清掃の際には、浴室カウンター３を第１壁面１２から取り外すことにより清掃作業を容易に行うことができる。特に、浴室カウンター３と第１壁面１２とが互いに対向する部分やカウンター３の下面などを容易に清掃することができる。
【００６０】
以上、本発明による浴室カウンターの取付構造１の実施形態について説明したが、本発明は上記の実施形態に限定されるものではなく、その趣旨を逸脱しない範囲で適宜変更可能である。
例えば、上記の実施形態では、ブラケット２は、上側部材２１と下側部材２２とを有しているが、浴室カウンターを係止可能な浴室カウンター係止が上下方向に複数配置されていれば、上下に分かれていない一体のブラケットであってもよい。
また、上記の実施形態では、ブラケット２は、第２浴室カウンター係止部２６２の上下において第１壁面１２に固定されているが、第２浴室カウンター係止部２６２の上下のいずれか一方、または第２浴室カウンター係止部２６２の側方において第１壁面１２に固定されていてもよい。
また、上記の実施形態では、ブラケット２は、樹脂製の部材と金属製の部材とが組み合わされているが、ブラケット２を形成する材料は適宜設定されてよい。
また、上記の実施形態では、ブラケット２に移動規制部６が設けられているが設けられていなくてもよい。
【００６１】
また、上記の実施形態では、ロックスペーサ４およびステー部材５が設けられて、浴室カウンターと第２壁面１３との隙間を埋めるように構成されているが、浴室カウンターと第２壁面１３との隙間を埋めない構成としてもよいし、本実施形態のロックスペーサ４およびステー部材５以外の部材で隙間を埋めるようにしてもよい。
また、上記の実施形態では、ブラケットＢの第１浴室カウンター係止部２３２および第２浴室カウンター係止部２６２が上下方向に重なる位置に配置されているが、異なる高さに設けられていれば幅方向にずれた位置に配置されていてもよい。
また、上記の実施形態では、浴室カウンター３の奥行き方向の手前側の縁部が、緩いＳ字形状に形成されているが、これ以外の形状に形成されていてもよい。例えば、浴室カウンター３の奥行き方向の手前側の縁部が、直線状に形成されていてもよいし、幅方向の中央部が奥行き方向の奥側に凹み、その両側が奥行き方向の手前側に突出する形状に形成されていてもよい。
また、上記の実施形態では、第１溝部２５および第２溝部２９の底面および側面に傾斜面が形成されているが、傾斜面が形成されていなくてもよい。また、第１溝部２５および第２溝部２９の底面および側面の一部のみに傾斜面が形成されていてもよい。
【符号の説明】
【００６２】
１  浴室カウンターの取付構造
２  ブラケット
３  浴室カウンター
４  ロックスペーサ
５  ステー部材
６  移動規制部
１１  浴室
１２  第１壁面（壁面）
１３  第２壁面
２１  上側部材
２２  下側部材
３３  第１被係止部
３４  第２被係止部
２３２  第１浴室カウンター係止部
２６２  第２浴室カウンター係止部
３２６  規制突出部
【図１】
2018051120.tif 000003
【図２】
2018051120.tif 000004
【図３】
2018051120.tif 000005
【図４】
2018051120.tif 000006
【図５】
2018051120.tif 000007
【図６】
2018051120.tif 000008
【図７】
2018051120.tif 000009
【図８】
2018051120.tif 000010
【図９】
2018051120.tif 000011
【図１０】
2018051120.tif 000012
【図１１】
2018051120.tif 000013
【図１２】
2018051120.tif 000014
【図１３】
2018051120.tif 000015
【図１４】
2018051120.tif 000016
【図１５】
2018051120.tif 000017
【図１６】
2018051120.tif 000018
【図１７】
2018051120.tif 000019